(57)【要約】      （修正有）【課題】吊り座を備えるカバーを締結固定する際にカバーの位置ズレの発生が防止されるとともに小型化及び製造コストの低減が図られる電力変換装置用ケースを提供する。【解決手段】電力変換装置用ケース１は、ケース本体１０、カバー２０を備える。ケース本体１０は、開口部を有する。ケース本体１０内には電力変換を行う電子部品３０が収納されている。カバー２０は、開口部を覆っている。ケース本体１０とカバー２０とはねじ部材４０により互いに締結固定されている。カバー２０には、カバー２０を吊り下げるための吊り座５０が外方に向けて突出形成されている。ケース本体１０には、回転規制部６０が突出形成されている。回転規制部６０は、吊り座５０よりも締結固定する際のねじ部材４０の回転方向の前側に位置して、締結固定する際に吊り座５０に当接してカバー２０とケース本体１０との相対的な回転を規制可能に構成されている。【選択図】図１
2019187098.tif 000002
【特許請求の範囲】
【請求項１】
開口部（１０ａ）を有し、電力変換を行う電子部品（３０）を収納するためのケース本体（１０）と、上記開口部を覆うカバー（２０）とを備え、上記ケース本体と上記カバーとがねじ部材（４０）により互いに締結固定されてなる電力変換装置用ケース（１）であって、
上記カバーには、該カバーを吊り下げるための吊り座（５０）が外方に向けて突出形成されており、
上記ケース本体には、該ケース本体から突出形成されるとともに、上記吊り座よりも上記締結固定する際の上記ねじ部材の回転方向の前側に位置して、上記締結固定する際に上記吊り座に当接して上記カバーと上記ケース本体との相対的な回転を規制可能に構成された回転規制部（６０）が設けられている、電力変換装置用ケース。
【請求項２】
上記吊り座は、上記吊り座の突出方向と異なる方向に折り曲げられてなる第１の折り曲げ部（５３）と、該第１の折り曲げ部と上記吊り座の突出方向の先端部（５２）との間に位置して上記第１の折り曲げ部とは逆方向に折り曲げられてなる第２の折り曲げ部（５４）とを有する、請求項１に記載の電力変換装置用ケース。
【請求項３】
上記第２の折り曲げ部と上記ケース本体との間に隙間（５５）が形成されている、請求項２に記載の電力変換装置用ケース。
【請求項４】
上記カバー及び上記ケース本体はそれぞれ平面視形状が長方形であって、上記吊り座は上記カバーにおける短辺（２７）に設けられており、上記回転規制部は、上記ケース本体における短辺側の側壁（１２）に設けられている、請求項１〜３のいずれか一項に記載の電力変換装置用ケース。
【発明の詳細な説明】
【技術分野】
【０００１】
本発明は、電力変換装置用ケースに関する。
【背景技術】
【０００２】
従来、電力変換装置用ケースのケース本体の開口部を覆うカバーには、塗装や搬送の際にハンガーで吊り下げるための吊り座が設けられている。例えば、特許文献１の電着塗装用洗浄液循環装置では、このような吊り座をカバーの周縁部に設けて、カバーを吊り下げた状態で電着塗装する構成が開示されている。そして、このようなカバーを備える電力変換装置において、ケース本体の側壁のカバー内側面に対向する位置に突起部を設けて、当該突起部をカバー内側面に当接可能にすることにより、カバーをねじで締結固定する際にカバーが回転することを規制して位置ズレ防止を図ることが行われている。
【先行技術文献】
【特許文献】
【０００３】
【特許文献１】特開２０１０−２４７０１１号公報
【発明の概要】
【発明が解決しようとする課題】
【０００４】
特許文献１に開示の構成において、ケースの小型化及び製造コストの低減のために、ケース本体の側壁に設けた突起部をカバーに設けた吊り座の内側面に対向する位置に設けて、当該突起部を吊り座の内側面に当接可能にすることにより、吊り座をカバーの回転規制に利用することが考えられる。しかしながら、吊り座でカバーを吊り下げると、カバーの自重により吊り座が変形する恐れがある。そして、吊り座が変形すると、ケース本体の突起部とカバーの吊り座の内側面との隙間が広がって、カバーの回転を規制するために必要とされる寸法精度が維持されない。その結果、カバーをねじ部材でケース本体に締結固定する際にカバーが余分に回転して位置ズレが生じやすくなる。
【０００５】
本発明は、かかる背景に鑑みてなされたもので、吊り座を備えるカバーを締結固定する際のカバーの位置ズレの発生が防止されるとともに小型化及び製造コストの低減が図られる電力変換装置用ケースを提供しようとするものである。
【課題を解決するための手段】
【０００６】
本発明の一態様は、開口部（１０ａ）を有し、電力変換を行う電子部品（３０）を収納するためのケース本体（１０）と、上記開口部を覆うカバー（２０）とを備え、上記ケース本体と上記カバーとがねじ部材（４０）により互いに締結固定されてなる電力変換装置用ケース（１）であって、
上記カバーには、該カバーを吊り下げるための吊り座（５０）が外方に向けて突出形成されており、
上記ケース本体には、該ケース本体から突出形成されるとともに、上記吊り座よりも上記締結固定する際の上記ねじ部材の回転方向の前側に位置して、上記締結固定する際に上記吊り座に当接して上記カバーと上記ケース本体との相対的な回転を規制可能に構成された回転規制部（６０）が設けられている、電力変換装置用ケースにある。
【発明の効果】
【０００７】
上記電力変換装置用ケースにおいては、ケース本体に突出形成された回転規制部が、カバーに突出形成された吊り座よりもねじ部材の回転方向の前側に位置している。そのため、カバーをケース本体に締結固定する際には吊り座が回転規制部に当接することにより、カバーとケース本体との相対的な回転が規制される。そして、カバーを吊り座で吊り下げた際に自重で吊り座が変形した場合には、吊り座は吊り座の突出方向に伸びるように変形することとなる。そのため、かかる変形が生じても、ねじ部材の回転方向における吊り座と回転規制部との隙間の大きさは実質的に変化しないことから、カバーの相対的な回転を規制するために必要とされる寸法精度を維持することができる。その結果、カバーとケース本体とを締結固定する際に回転規制部による回転規制が確実に行われ、カバーの位置ズレが防止される。さらに、回転規制部を吊り座に当接可能にすることにより、吊り座をカバーの締結固定時の回転規制に利用することから、吊り座とは別に回転規制部が当接可能な部分をカバーに設ける必要がない。その結果、構成を簡略化することができ、当該電力変換装置用ケースの小型化が図られるとともに製造コストの低減に寄与する。
【０００８】
以上のごとく、本発明によれば、吊り座を備えるカバーを締結固定する際のカバーの位置ズレの発生が防止されるとともに小型化及び製造コストの低減が図られる電力変換装置用ケースを提供することができる。
【０００９】
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１０】
【図１】実施形態１における、電力変換装置の斜視図。
【図２】実施形態１における、カバーを外した状態の電力変換装置の斜視図。
【図３】実施形態１における、電力変換装置の上面図。
【図４】実施形態１における、カバーの吊り下げ状態を表した斜視図。
【図５】図３における、V-V線位置断面図。
【図６】図３における、VI-VI線位置断面図。
【図７】変形形態１における、電力変換装置の上面図。
【図８】実施形態２における、電力変換装置の斜視図。
【図９】実施形態２における、電力変換装置の上面図。
【図１０】変形形態２における、電力変換装置の上面図。
【発明を実施するための形態】
【００１１】
（実施形態１）
電力変換装置の実施形態について、図１〜図６を用いて説明する。
本実施形態の電力変換装置用ケース１は、図１に示すように、ケース本体１０、カバー２０を備える。
ケース本体１０は、開口部１０ａを有する。ケース本体１０内には電力変換を行う電子部品３０が収納されている。
カバー２０は、開口部１０ａを覆っている。
ケース本体１０とカバー２０とはねじ部材４０により互いに締結固定されている。
図１、２に示すように、カバー２０には、カバー２０を吊り下げるための吊り座５０が外方に向けて突出形成されている。
ケース本体１０には、回転規制部６０が突出形成されている。
回転規制部６０は、吊り座５０よりも締結固定する際のねじ部材４０の回転方向Ｒの前側に位置して、締結固定する際に吊り座５０に当接してカバー２０とケース本体１０との相対的な回転を規制可能に構成されている。
【００１２】
以下、本実施形態の電力変換装置用ケース１について、詳述する。
図１、図２に示すように、電力変換装置用ケース１のケース本体１０は長方形の底板１１と、底板１１の２つの短辺に立設された短辺側の側壁１２、１３と、底板１１の２つの長辺に立設された長辺側の側壁１４、１５とを備える。底板１１の反対側は開口部１０ａとなっている。ケース本体１０の内側には電力変換回路を構成する電子部品３０が収納されている。なお、電力変換装置用ケース１の長手方向をＹとし、短手方向をＸとし、高方向をＺとする。
【００１３】
図２に示すように、ケース本体１０における長辺側の側壁１４には、回転規制部６０が設けられている。回転規制部６０は長辺側の側壁１４から外方に向けて、短手方向Ｘに平行に突出している。また、長辺側の側壁１４には回転規制部６０と長手方向Ｙに所定距離離れた位置にガイド突起部７０が外方に向けて短手方向Ｘに平行に突出形成されている。
【００１４】
図２に示すケース本体１０の開口部１０ａには、図１に示すように、カバー２０が取り付けられている。図３、図４に示すように、カバー２０は平面視長方形の板状をなしている。図５に示すように、ケース本体１０にカバー２０が取り付けられた状態では、カバー２０の周縁部２３の下面であるシール面２４が、ケース本体１０の側壁１４の上端に接してシール性が維持されている。なお、図示しないがケース本体１０の他の側壁１２、１３、１５においても同様に、その上端がシール面２４に接してシール性が維持されている。
【００１５】
図４に示すように、カバー２０の長辺２１には吊り座５０が突出形成されている。吊り座５０には貫通孔５１が形成されている。カバー２０の塗装や搬送の際には、貫通孔５１に設備側のフック１０１等を挿通させることにより、カバー２０を吊り下げることができる。
【００１６】
図５に示すように、吊り座５０は、第１の折り曲げ部５３と第２の折り曲げ部５４を有する。第１の折り曲げ部５３は吊り座５０の突出方向Ｐと異なる方向に折り曲げられている。第２の折り曲げ部５４は第１の折り曲げ部５３と吊り座５０の突出方向Ｐの先端部５２との間に位置して、第１の折り曲げ部５３とは逆方向に折り曲げられている。本実施形態では、第１の折り曲げ部５３は突出方向Ｐと直交する方向であって、図５における紙面上で反時計回りの方向Ｆ１に９０度折り曲げられており、第２の折り曲げ部５４は図５における紙面上で時計回りの方向Ｆ２に９０度折り曲げられている。これにより、第２の折り曲げ部５４から先端部５２までの部分は突出方向Ｐに平行となっており、当該部分に貫通孔５１が設けられている。そして、図５に示すように、第１の折り曲げ部５３及び第２の折り曲げ部５４におけるそれぞれの折り曲げ軸は互いに平行であって、図４に示すように、第１の折り曲げ部５３及び第２の折り曲げ部５４の折り曲げにより形成されたそれぞれの角部５３ａ、５４ａは互いに平行となっている。
【００１７】
図５に示すように、吊り座５０における第２の折り曲げ部５４とケース本体１０との間には隙間５５が形成されている。隙間５５の大きさＷは限定されないが、例えば、１．０〜５．０ｍｍとすることができる。また、吊り座５０の突出方向Ｐは、回転規制部６０の突出方向、すなわち短手方向Ｘに平行となっている。そして、吊り座５０の突出方向Ｐの長さＬ１と回転規制部６０の突出方向Ｐの長さＬ２とは、互いに略同一となっている。吊り座５０の突出方向Ｐの長さＬ１及び回転規制部６０の突出方向Ｐの長さＬ２は、限定されないが、後述の回転規制を確実に行うためにある程度の大きさを有することが好ましく、電力変換装置の搭載性の低下を抑制するために過度に大きくしないことが好ましい。かかる観点から、吊り座５０の突出方向Ｐの長さＬ１及び回転規制部６０の突出方向Ｐの長さＬ２は、例えば、５．０〜２０．０ｍｍとすることができる。なお、吊り座５０を介してカバー２０を吊り下げた際に吊り座５０が突出方向Ｐに伸びるように変形した場合を考慮して、回転規制部６０の突出方向Ｐの長さＬ２を吊り座５０の突出方向Ｐの長さＬ１よりも大きくしてもよい。
【００１８】
図６に示すように、長手方向Ｙにおける回転規制部６０とガイド突起部７０との間隔Ｄ１は、吊り座５０の幅Ｄ２よりも若干大きくなっているため、吊り座５０は回転規制部６０との間に幅Ｄ３の隙間５７が形成された状態で、回転規制部６０とガイド突起部７０との間に位置できるようになっている。そして、カバー２０をケース本体１０に取り付けた状態において、吊り座５０が回転規制部６０とガイド突起部７０との間に位置するとともに、回転規制部６０は吊り座５０よりも、カバー２０を締結固定する際のねじ部材４０の回転方向Ｒの前側に位置している。これにより、図３に示すように、カバー２０を締結固定する際にカバー２０がねじ部材４０と供回りして回転方向Ｒに相対的に回転しようとすると、図６に示す回転規制部６０及び吊り座５０における互いの対向面６１、５６が互いに当接してカバー２０とケース本体１０との相対的な回転が規制されることとなる。
【００１９】
図６に示すように、回転規制部６０の上面６０ａ及びガイド突起部７０の上面７０ａは互いに近づくにつれて下方Ｚ１に位置するように傾斜している。これにより、カバー２０をケース本体１０に取り付ける際に、吊り座５０を回転規制部６０とガイド突起部７０との間に導くことができる。そして、回転規制部６０の高さＨ１及びガイド突起部７０の高さＨ２はいずれも吊り座５０の厚さＨ３よりも大きくなっている。これにより、吊り座５０を確実に回転規制部６０とガイド突起部７０との間に配置させることができる。
【００２０】
次に、本実施形態の電力変換装置用ケース１における作用効果について、詳述する。
電力変換装置用ケース１においては、ケース本体１０に突出形成された回転規制部６０が、カバー２０に突出形成された吊り座５０よりもねじ部材４０の回転方向Ｒの前側に位置している。そのため、カバー２０をケース本体１０に締結固定する際には吊り座５０が回転規制部６０に当接することにより、カバー２０とケース本体１０との相対的な回転が規制される。そして、カバー２０を吊り座５０で吊り下げた際に自重で吊り座５０が変形した場合には、吊り座５０は吊り座５０の突出方向Ｐに伸びるように変形することとなる。そのため、かかる変形が生じても、ねじ部材４０の回転方向Ｒにおける吊り座５０と回転規制部６０との隙間５７の大きさは実質的に変化しないことから、カバー２０の相対的な回転を規制するために必要とされる寸法精度を維持することができる。その結果、カバー２０とケース本体１０とを締結固定する際に回転規制部６０による回転規制が確実に行われ、カバー２０の位置ズレが防止される。さらに、回転規制部６０を吊り座５０に当接可能にすることにより、吊り座５０をカバー２０の締結固定時の回転規制に利用することから、吊り座５０とは別に回転規制部６０が当接可能な部分をカバー２０に設ける必要がない。その結果、構成を簡略化することができ、電力変換装置用ケース１の小型化が図られるとともに製造コストの低減に寄与する。
【００２１】
本実施形態では、吊り座５０は、吊り座５０の突出方向Ｐと異なる方向に折り曲げられてなる第１の折り曲げ部５３と、第１の折り曲げ部５３と吊り座５０の突出方向Ｐの先端部５２との間に位置して第１の折り曲げ部５３とは逆方向に折り曲げられてなる第２の折り曲げ部５４とを有する。これにより、吊り座５０の強度の向上が図られるとともに、吊り座５０でカバー２０を吊り下げたときに、吊り座５０は第１の折り曲げ部５３及び第２の折り曲げ部５４で突出方向Ｐに変形しやすくなることから、カバー２０のシール面２４の変形が防止されて、カバー２０とケース本体１０との間のシール性が向上される。
【００２２】
本実施形態では、第２の折り曲げ部５４とケース本体１０との間に隙間５５が形成されている。これにより、カバー２０をケース本体１０から取り外す際に、ねじ部材４０をすべて取り外した後に、当該隙間５５に工具を差し入れることにより、容易にカバー２０をケース本体１０から分離させることができるため、取り外しの際の作業効率の向上が期待できる。
【００２３】
なお、図７に示す変形形態１のように、ガイド突起部７０を有しない構成としてもよい。この場合もガイド突起部７０による作用効果を除いて、実施形態１と同等の作用効果を奏する。
【００２４】
以上のごとく、本実施形態によれば、吊り座５０を備えるカバー２０を締結固定する際のカバー２０の位置ズレの発生が防止されるとともに小型化及び製造コストの低減が図られる電力変換装置用ケース１を提供することができる。
【００２５】
（実施形態２）
本実施形態の電力変換装置用ケース１は、図８、図９に示すように、図示しないコネクタが接続されるコネクタ接続部２６が設けられている。コネクタ接続部２６は一方の短辺側に位置している。コネクタ接続部２６はシール性を確保するためにカバー２０との位置関係が固定されている。そのため、カバー２０をねじ部材４０により締結固定する際に、コネクタ接続部２６の中心Ｃを回転中心として、ねじ部材４０の締結時における回転方向Ｒに向けて回転しようとすることとなる。
【００２６】
そして、図８、図９に示すようにカバー２０及びケース本体１０はそれぞれ平面視形状が長方形であって、吊り座５０はカバー２０における短辺２７に設けられており、回転規制部６０は、ケース本体１０における短辺側の側壁１２に設けられている。これにより、吊り座５０及び回転規制部６０が回転中心となるコネクタ接続部２６の中心Ｃから遠位に位置することとなるため、締結固定時のカバー２０の回転角を小さくできるため、カバー２０の位置ズレを一層抑制できる。さらに、吊り座５０及び回転規制部６０が短辺側に位置することで搭載性を向上することができる。なお、本実施形態においても実施形態１と同等の作用効果を奏する。
【００２７】
なお、図１０に示す変形形態２のように、ガイド突起部７０を有しない構成としてもよい。この場合もガイド突起部７０による作用効果を除いて、実施形態２と同等の作用効果を奏する。
【００２８】
本発明は上記各実施形態に限定されるものではなく、その要旨を逸脱しない範囲において種々の実施形態に適用することが可能である。
【符号の説明】
【００２９】
１  電力変換装置用ケース
１０  ケース本体
１０ａ  開口部
２０  カバー
３０  電子部品
４０  ねじ部材
５０  吊り座
５３  第１の折り曲げ部
５４  第２の折り曲げ部
５５  隙間
６０  回転規制部
７０  ガイド突起部
【図１】
2019187098.tif 000003
【図２】
2019187098.tif 000004
【図３】
2019187098.tif 000005
【図４】
2019187098.tif 000006
【図５】
2019187098.tif 000007
【図６】
2019187098.tif 000008
【図７】
2019187098.tif 000009
【図８】
2019187098.tif 000010
【図９】
2019187098.tif 000011
【図１０】
2019187098.tif 000012